(57)【要約】【課題】吸入口に設けられるフィルターの交換及び掃除が容易になるように構成した前面パネルを備えた空気調和機を提供する。また、前面パネルの開閉及び着脱が容易になるように構成した空気調和機を提供する。【解決手段】前面に開口部が形成された本体１と、開口部を開閉するために本体１の前面に設置される前面パネル２と、を備えた空気調和機において、前記前面パネル２を本体１に対して昇降開閉するための昇降開閉ユニット１０と、回動開閉するためのヒンジ開閉ユニット３０と、を備えて空気調和機を構成する。【選択図】図９
2008096092.tif 000002
【特許請求の範囲】
【請求項１】
前面に開口部が形成された本体と、前記開口部を開閉するために前記本体の前面に設置される前面パネルと、を備えた空気調和機において、
前記前面パネルを前記本体に対して昇降開閉するための昇降開閉ユニットと、回動開閉するためのヒンジ開閉ユニットと、を備えることを特徴とする空気調和機。
【請求項２】
前記昇降開閉ユニットは、前記前面パネルに設けられ、
前記ヒンジ開閉ユニットは、前記前面パネルと前記昇降開閉ユニットを前記本体に対して回動させることを特徴とする請求項１に記載の空気調和機。
【請求項３】
前記本体の上面部には、吸入口とフィルターが設置され、
前記フィルターは、前記前面パネルの昇下降時に着脱可能であることを特徴とする請求項１に記載の空気調和機。
【請求項４】
前記昇降開閉ユニットは、前記本体と、該本体の内部に設けられるスライドユニットと、からなることを特徴とする請求項１乃至３のうち何れか１項に記載の空気調和機。
【請求項５】
前記スライドユニットは、
前記前面パネルの後面に設けられるラックギアと、
該ラックギアと噛み合わされるように、前記本体に回転可能に設けられるピニオンと、
該ピニオンと前記本体に両端がそれぞれ締結されたロッドと、
該ロッドに介在される弾性部材と、からなり、
前記前面パネルは、所定距離では、外力によって前記弾性部材が加圧されると同時に、前記ピニオンが回転しながら昇降され、それ以上の距離では、前記弾性部材の復帰力によって前記ピニオンが同一方向に回転しながら昇降されることを特徴とする請求項４に記載の空気調和機。
【請求項６】
前記昇降開閉ユニットは、少なくとも二つが設けられ、
前記各昇降開閉ユニットは、同期化部材によって相互連結されることを特徴とする請求項１または２に記載の空気調和機。
【請求項７】
前記回動開閉ユニットは、前記前面パネルに設けられる軸部材と、前記本体に設けられる軸溝部材と、からなり、
前記軸部材は、前記昇降開閉ユニットに設けられることを特徴とする請求項１または２に記載の空気調和機。
【請求項８】
前記軸部材には、係止突起が備わり、
前記軸溝部材には、係止溝が備わり、
前記前面パネルの回動時に前記係止突起が前記係止溝に係止されることで、開放状態が維持されることを特徴とする請求項７に記載の空気調和機。
【請求項９】
前記係止溝は、前方が開放されたガイドスリットからなり、
前記前面パネルは、前記ガイドスリットを通して前記本体から着脱可能であることを特徴とする請求項８に記載の空気調和機。
【発明の詳細な説明】
【技術分野】
【０００１】
本発明は、空気調和機に関するもので、一層詳しくは、本体の前方に設けられる前面パネルの開閉構造に関するものである。
【背景技術】
【０００２】
特許文献１には、壁に掛けられる壁掛け型空気調和機の室内機（以下、‘空気調和機’という）が開示されている。この空気調和機は、前面が開放された本体と、開放された本体の前面に付着される前面パネルと、を備えて略ボックス状の外観をなしている。前面パネルの前面には、前面グリルが開閉可能に結合されており、前面グリルには、室内空気を本体に吸入するための吸入口が設けられている。また、前面パネルの上端部には、前面グリルに設けられた吸入口と共に、室内空気を本体に吸入するための吸入口が設けられており、前面パネルの下端部には、熱交換器、送風ファンを経て熱交換された空気を再び室内空間に排出するための吐出口が設けられている。
【０００３】
したがって、上記の構成によると、送風ファンが作動したとき、室内空気は、前面グリルに設けられた吸入口と前面パネルに設けられた吸入口を通して本体の内部に流入し、熱交換器を通して熱交換された後、前面パネルの下端部に設けられた吐出口を通して再び室内空間に排出される。その結果、室内の温度を最適の状態に維持できるようになる。
【０００４】
また、本体には、前面パネルの上端部に吸入される空気を浄化するためのフィルターが装着される。空気調和機の使用によってフィルターに多くの汚染物質が蓄積されるので、フィルターは、本体から周期的に分離して掃除しなければならない。
【０００５】
しかしながら、従来の空気調和機においては、フィルターを掃除または交換するとき、ヒンジ部材によって前面パネルと結合された前面グリルを所定角度だけ回動開放した後に、フィルターを本体から分離しなければならないので、フィルターの交換作業が不便であるという問題点があった。また、作業が行われる間、前面グリルの開放状態を維持するために、前面グリルを別途の結合部材によって固定する必要があり、作業が煩雑であった。
【特許文献１】大韓民国公開特許公報２００４-４１４４４号明細書
【発明の開示】
【発明が解決しようとする課題】
【０００６】
本発明は、上述した従来の問題点を解決するためのもので、その目的は、吸入口に設けられるフィルターの交換及び掃除が容易になるように構成した前面パネルを備えた空気調和機を提供することにある。
【０００７】
また、本発明の他の目的は、前面パネルの開閉及び着脱が容易になるように構成した空気調和機を提供することにある。
【課題を解決するための手段】
【０００８】
上記の目的を達成するための本発明に係る空気調和機は、前面に開口部が形成された本体と、開口部を開閉するために本体の前面に設置される前面パネルと、を備えた空気調和機において、前記前面パネルを本体に対して昇降開閉するための昇降開閉ユニットと、回動開閉するためのヒンジ開閉ユニットと、を備える。
【０００９】
また、本発明に係る空気調和機の前記昇降開閉ユニットは、前面パネルに設けられ、前記ヒンジ開閉ユニットは、前面パネルと昇降開閉ユニットを本体に対して回動させる。
【００１０】
また、 本発明に係る空気調和機の前記本体の上面部には、吸入口とフィルターとが設置され、前記フィルターは、前面パネルの昇下降時に着脱可能である。
【００１１】
また、本発明に係る空気調和機の前記昇降開閉ユニットは、本体と、本体の内部に設けられるスライドユニットと、からなる。
【００１２】
また、本発明に係る空気調和機の前記スライドユニットは、前記前面パネルの後面に設けられるラックギアと、前記ラックギアと噛み合わされるように、本体に回転可能に設けられるピニオンと、前記ピニオンと本体に両端がそれぞれ締結されたロッドと、前記ロッドに介在される弾性部材と、からなり、前記前面パネルは、所定距離では、外力によって弾性部材が加圧されると同時にピニオンが回転しながら昇降され、それ以上の距離では、弾性部材の復帰力によってピニオンが同一方向に回転しながら昇降される。
【００１３】
また、本発明に係る空気調和機は少なくとも二つの前記昇降開閉ユニットを備え、前記各昇降開閉ユニットは同期化部材によって相互連結される。
【００１４】
また、本発明に係る空気調和機の前記回動開閉ユニットは、前記前面パネルに設けられる軸部材と、前記本体に設けられる軸溝部材と、からなり、前記軸部材は、昇降開閉ユニットに設けられる。
【００１５】
また、本発明に係る空気調和機の前記軸部材には、係止突起が備わり、前記軸溝部材には、係止溝が備わり、前記前面パネルの回動時に係止突起が係止溝に係止されることで、開放状態が維持される。
【００１６】
また、本発明に係る空気調和機の前記係止溝は、前方が開放されたガイドスリットからなり、前記前面パネルは、ガイドスリットを通して本体から着脱可能である。
【発明の効果】
【００１７】
本発明に係る空気調和機の前面パネルは、昇降開閉及び回動開閉が同時に可能であり、フィルターを交換及び掃除するときに前面パネルを昇降開閉し、他の内部部品を管理するときに前面パネルを回動開閉することで、作業が容易になるように構成されている。
【００１８】
また、本発明に係る空気調和機は、前面パネルの内部に半自動スライドユニットを備えることで、少ない力でも前面パネルを容易に開閉できるとともに、回動開閉時に開放された前面パネルを本体から離脱できるようにして作業者の便宜性を図るものである。
【発明を実施するための最良の形態】
【００１９】
以下、本発明の好適な実施形態に係る空気調和機に対し、添付の図面に基づいて詳細に説明する。
【００２０】
図１及び図２に示すように、本発明に係る空気調和機は、前面に開口部（図示せず）が形成された本体１と、開口部を開閉するために本体１の前面に設けられる前面パネル２と、からなり、全体的に略ボックス状の外観をなしている。
【００２１】
本体１の上部面には、空気を吸入するための複数の吸入口３が形成される。また、本体１の下面部には、本体１の内部で熱交換された空気を排出するための吐出口（図示せず）が形成される。
【００２２】
本体１の上部面内側には、吸入口３から流入する空気に含まれた埃などの汚染物質を濾過するためのフィルター４が設置される。また、本体１の後方には、図５に示すように、室内空気を吸入するための送風ファン５と、室内空気を熱交換するための熱交換器６と、が設けられている。
【００２３】
また、本体１の前面上側には、図２に示すように、フィルター４を前方にスライディングさせて着脱するためのフィルター挿入口７が形成される。フィルター挿入口７は、前面パネル２を本体１に対して下降させたときに露出される。
【００２４】
本発明によると、前面パネル２は、本体１に対して上下にスライディング可能に設けられるが、作動を一層容易にするために、半自動スライディング（semiautomatic sliding）可能に設けられることが好ましい。このために、前面パネル２には、図３及び図４に示した昇降開閉ユニット１０が設けられる。
【００２５】
昇降開閉ユニット１０は、前面パネル２の両側に少なくとも二つ設置される。各昇降開閉ユニット１０は、本体１１と、半自動スライドユニット（以下、スライドユニットという）２０と、から構成される。
【００２６】
本体１１の内部には、スライドユニット２０を設置するための空間が形成される。また、本体１１の上部には、昇降開閉ユニット１０が設置された前面パネル２を本体１に設置するための軸部材１３が設置され、本体１１の下部には、前面パネル２を本体１に安定的に結合するためのストッパー１５が設置される。軸部材１３とストッパー１５に対しては、以下で後述する。
【００２７】
スライドユニット２０は、本体１１の内部に設けられるもので、本体１１に回転可能に結合されるピニオン２１と、一端が本体１１の下側壁１１ａに結合され、他端がピニオン２１に結合されることで、ピニオン２１の回転によって振子運動をするロッド２２と、ロッド２２に介在される弾性部材２３と、から構成される。
【００２８】
ピニオン２１は、図４に示すように、前面パネル２の背面に設けられたラックギア２４と噛み合わされる。また、昇降開閉ユニット１０の本体１１の一側面に設けられたガイドスリット１２には、前面パネル２の背面から突出された一対のガイド突起２ａが往復移動可能に設置される。ガイドスリット１２は、本体１１の一側面のみに設置されるもので、上述したように、前面パネル２の両側に設置される各昇降開閉ユニット１０の外側面に設置されて前面パネル２の昇降をガイドする。互いに対向する各昇降開閉ユニット１０の本体１１の他側面には、両側のピニオン２１を同時に動作させるための同期化部材としてシンクシャフト１８が設置され、このシンクシャフト１８によって各ピニオン２１の回転中心が互いに連結される。
【００２９】
以下、上記のような構成を有する空気調和機の昇降開閉ユニット１０の動作を、図５〜図７に基づいて説明する。
【００３０】
図５は、前面パネル２が本体１に対して閉鎖された状態を示した図である。このとき、ラックギア２４に結合されたピニオン２１が弾性部材２３によって支持されるため、前面パネル２は密閉状態を維持している。
【００３１】
図６は、前面パネル２が本体１に対して半分ほど開放され、弾性部材２３が最大に圧縮された状態を示した図である。使用者が前面パネル２を下降させると、ラックギア２４に噛み合わされたピニオン２１が時計方向に回転し、ピニオン２１の回転によって、ロッド２２に介在された弾性部材２３が圧縮される。
【００３２】
図７は、前面パネル２が本体１に対して完全に開放された状態を示した図である。
【００３３】
図６の状態で使用者が力を少しだけ加えると、ピニオン２１が時計方向に回転することで、弾性部材２３に加えられた力が解除されながら弾性部材２３が元の状態に復帰される。このような弾性部材２３の復元力によってピニオン２１が持続的に時計方向に回転することで、噛み合わされたラックギア２４が移動しながら前面パネル２が本体１に対して下降する。
【００３４】
前面パネル２が上昇して本体１の開口部を再び密閉する場合は、上記の逆順に動作が行われる。また、前面パネル２の昇降幅は、前面パネル２のガイド突起２ａと昇降開閉ユニット１０のガイドスリット１２によって制限される。
【００３５】
一方、本発明に係る空気調和機は、内部部品の点検及び交換などの作業者の操業が容易になるように、前面パネル２を本体１に回動可能に結合するための回動開閉ユニット３０を備えている。
【００３６】
図８及び図９は、本発明に係る空気調和機の回動開閉ユニットを示した正面斜視図と背面斜視図である。図示したように、回動開閉ユニット３０は、前面パネル２の軸部材１３に設けられる軸３１と、本体１の軸溝部材８に設けられる軸溝３２と、から構成される。このとき、軸部材１３が昇降開閉ユニット１０の本体１１の上部に一体に設けられるので、回動開閉ユニット３０は、開放時、本体１に対して昇降開閉ユニット１０と前面パネル２を同時に回動させる。
【００３７】
また、回動開閉ユニット３０は、前面パネル２が本体１から回動開放される場合、その位置を固定するための係止部を備えている。係止部は、図３に拡大して示すように、軸部材１３に設けられる係止突起３３と、図９に示すように、軸溝部材８の軸溝３２の下側に設けられる係止溝３４と、から構成される。したがって、前面パネル２の開放が完了すると、図１０に示すように、軸部材１３の係止突起３３が軸溝部材８の係止溝３４に係止されることで、前面パネル２が本体１に対して開放状態を維持できるようになる。
【００３８】
このとき、係止溝３４と軸溝３２とは、ガイドスリット状を有して前方に開口されている。したがって、前記開放固定された位置で前面パネル２を前方に引き寄せると、軸溝部材８から軸３１と係止突起３３とがスライディングガイドされながら前面パネル２が本体１から分離される。
【００３９】
図１０には、前面パネル２が本体１に対して９０°開放されるとき、位置固定及び離脱が可能になる場合を例示したが、本発明は、これに限定されるものではない。また、図中、未説明符号１６は、ストッパー１５に設けられる定着突起であり、この定着突起１６は、本体１の定着溝９との締結によって密閉状態を安定的に支持する。
【図面の簡単な説明】
【００４０】
【図１】本発明に係る空気調和機を示した図である。
【図２】本発明に係る空気調和機のフィルターを示した図である。
【図３】本発明に係る空気調和機の昇降開閉ユニットを示した図である。
【図４】本発明に係る空気調和機の前面パネルの背面を示した図である。
【図５】本発明に係る空気調和機の昇降開閉ユニットの動作状態を説明するための側面図である。
【図６】本発明に係る空気調和機の昇降開閉ユニットの動作状態を説明するための側面図である。
【図７】本発明に係る空気調和機の昇降開閉ユニットの動作状態を説明するための側面図である。
【図８】本発明に係る空気調和機の回動開閉ユニットを示した正面斜視図と背面斜視図である。
【図９】本発明に係る空気調和機の回動開閉ユニットを示した正面斜視図と背面斜視図である。
【図１０】本発明に係る空気調和機の回動開閉ユニットの動作状態を説明するための側面図である。
【符号の説明】
【００４１】
１  本体
２  前面パネル
３  吸入口
４  フィルター
７  フィルター挿入口
８  軸溝部材
１０  昇降開閉ユニット
１１  本体
１３  軸部材
２０  スライドユニット
２１  ピニオン
２３  弾性部材
２４  ラックギア
３０  回動開閉ユニット
３１  軸
３３  係止突起
【図１】
2008096092.tif 000003
【図２】
2008096092.tif 000004
【図３】
2008096092.tif 000005
【図４】
2008096092.tif 000006
【図５】
2008096092.tif 000007
【図６】
2008096092.tif 000008
【図７】
2008096092.tif 000009
【図８】
2008096092.tif 000010
【図９】
2008096092.tif 000011
【図１０】
2008096092.tif 000012